(57)【特許請求の範囲】
【請求項１】
被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体において、
前記清掃体収容室が、前記２本の回転清掃体を覆っていて前記２本の回転清掃体によって満たされるような大きさに形成されているとともに、
前記吸込み口体主部が、前記清掃体収容室が延びる方向と同方向に延びて前記清掃体収容室の上側に設けられ、かつ、前記継手管への吸込みに伴って前記清掃体収容室に引き起こされる気流よりも高速の気流が流れるように前記清掃体収容室よりも流路断面積を小さくした塵移送室と、前記両室を連通して前記清掃体収容室の上に設けられ前記掻き上げられた塵が通過する連通口と、前記塵移送室の長手方向の端部に設けられて前記清掃体収容室外の空気を前記塵移送室に前記清掃体収容室を流通させることなく導入する空気導入口とを夫々備え、
前記継手管が、前記塵移送室内を長手方向に流動する気流を吸込むように前記空気導入口から離れた位置で前記塵移送室に連通して前記吸込み口体主部に取付けられていることを特徴とする吸込み口体。
【請求項２】
被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体において、
前記清掃体収容室が、前記２本の回転清掃体を覆っていて前記２本の回転清掃体によって満たされるような大きさに形成されているとともに、
前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の底壁をなして前記塵移送室と前記清掃体収容室との間の一部を仕切って設けられた塵受け棚とを夫々備え、
前記継手管が、前記塵移送室内を長手方向に流動する気流を吸込むように前記塵移送室に連通して前記吸込み口体主部に取付けられていることを特徴とする吸込み口体。
【請求項３】
被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体において、
前記清掃体収容室が、前記２本の回転清掃体を覆っていて前記２本の回転清掃体によって満たされるような大きさに形成されているとともに、
前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の底壁をなして前記塵移送室と前記清掃体収容室との間の一部を仕切って設けられた塵受け棚と、前記塵移送室の長手方向の端部に設けられて前記清掃体収容室外の空気を前記塵移送室に前記清掃体収容室を流通させることなく導入する空気導入口とを夫々備え、
前記継手管が、前記塵移送室内を長手方向に流動する気流を吸込むように前記空気導入口から離れた位置で前記塵移送室に連通して前記吸込み口体主部に取付けられていることを特徴とする吸込み口体。
【請求項４】
前記塵移送室を前記吸込み口体主部の略全幅にわたって設けたことを特徴とする請求項1〜３の内のいずれか1項に記載の吸込み口体。
【請求項５】
前記連通口を、互いに向かい合う方向に回転する前記２本の回転清掃体に跨るようにこれら清掃体に対向させたことを特徴とする請求項１〜４の内のいずれか１項に記載の吸込み口体。
【請求項６】
電動送風機から排出される空気を循環させながら掃除をする電気掃除機に備えられる吸込み口体であって、前記空気導入口に導入される空気が前記電動送風機から排出されて循環される空気であることを特徴とする請求項１、３〜５の内のいずれか１項に記載の吸込み口体。
【請求項７】
前記空気導入口を前記塵移送室の長手方向の両端部に夫々設けるとともに、前記継手管を前記塵移送室の長手方向中央部に連通して設けたことを特徴とする請求項１、３〜６の内のいずれか１項に記載の吸込み口体。
【請求項８】
上側に行くほど前記塵受け棚に近付けられる斜状のガイド壁を、前記連通口の上に対向させて設けたことを特徴とする請求項２〜５の内のいずれか１項に記載の吸込み口体。
【請求項９】
前記塵受け棚を、その根元より先端縁を高くしたことを特徴とする請求項２〜５、８の内のいずれか１項に記載の吸込み口体。
【請求項１０】
前記塵受け棚の先端縁を上向きに立上らせたことを特徴とする請求項２〜６、８、９の内のいずれか１項に記載の吸込み口体。
【請求項１１】
掃除機本体内の電動送風機の動作により、前記掃除機本体の集塵室に連通された吸込み口体の塵取り開口から被掃除面の塵を空気とともに吸込んで、この吸込んだ塵を前記集塵室内のフィルタに通して捕捉する電気掃除機において、前記吸込み口体に請求項１〜５、７〜１０の内のいずれか１項に記載の吸込み口体を用いたことを特徴とする電気掃除機。
【請求項１２】
電動送風機を内蔵した掃除機本体の集塵室に連通された吸込み口体の塵取り開口から被掃除面の塵を取込んで、この取込んだ塵を前記集塵室内のフィルタに通して捕捉し、前記フィルタを通過して前記電動送風機から排出された空気を前記吸込み口体に戻し、この排出空気を前記掃除機本体と前記吸込み口体とにわたって循環させながら掃除をする電気掃除機において、前記吸込み口体に請求項１〜１０の内のいずれか１項に記載の吸込み口体を用いたことを特徴とする電気掃除機。
【発明の詳細な説明】
【０００１】
【発明の属する技術分野】
本発明は、掃除機本体内の電動送風機から排出される空気を、吸込み口体に戻すとともに、これら吸込み口体と掃除機本体とにわたって循環させながら掃除をする空気循環式、又は、このような空気循環を伴うことなく、被掃除面に吸込み力を及ぼしながら掃除をする非空気循環式の電気掃除機に関するとともに、これらの掃除機に用いられる吸込み口体に関する。
【０００２】
【従来の技術】
非空気循環式電気掃除機の吸込み口体において、回転方向及び回転数を異にする２本の回転ブラシを床面に平行に配設するとともに、両ブラシを吸込み口体の前後方向に互いにラップさせることにより、床面の塵埃のかき出し及び叩き出しを効果的に行なって塵埃の捕集性を向上でき、かつ、小形化も図れる吸込み口体が提案されている（特開平５−１１１４４９号公報参照）。
【０００３】
この吸込み口体では、２本の回転ブラシの回転に伴いこれらブラシ間を通過するように床面の塵を掻き上げて、この塵を吸込み口体の幅方向中央に設けられていて掃除機本体に接続される連結管に吸込むことができる。しかし、既述のように掻き上げられた塵をいかにして効果的に連結管に吸込ませるかという点については、格別な工夫がなされておらず、単に連結管から及ぼされる吸込み力のみに依存しているに過ぎない。
【０００４】
そのため、連結管が取付けられている吸込み口体の幅方向中央部分で掻き上げられた塵の吸込みは有効に行われるのに比較して、連結管から隔たっている吸込み口体の幅方向の両端部において前記２本の回転ブラシで掻き上げられた塵を連結管に容易に吸込ませることは難しい。
【０００５】
詳しくは、吸込み口体の幅方向の端部から連結管に至る流路は、回転ブラシが収容されたブラシ収容室の上部に形成されている。具体的には、前記流路が回転ブラシの上部周面とこれを上方から覆って設けられている吸込み口体の平板状上壁との間に形成されているから、この流路に直接臨んでいる回転ブラシは大きな流路抵抗となる。そのため、吸込み口体の幅方向の端部において２本のブラシにより掻き上げられた塵が、連結管方向への移動に際して回転ブラシに引っ掛りやすい。しかも、連結管から隔たっている前記端部に波及する吸込み力は弱い。したがって、前記塵の連結管への吸込み性能が低い。
【０００６】
このように吸込み口体の幅方向の端部においては、床面の塵を折角２本の回転ブラシで掻き上げても、その塵は自由落下して回転ブラシの周囲に跳ね飛ばされてしまうので、連結管に吸込まれずらい。したがって、従来の吸込み口体の塵取り性能は低い。
【０００７】
特に、連結管に波及する吸込み力が低下する場合には、前記塵取り性能の低下が顕著になる。又、空気循環式電気掃除機の吸込み口体は、床面（被掃除面）から積極的に空気を吸込むものではなく、吸込み口体の幅方向の端部分に波及する吸込み力は元々期待されていないため、前記公報の技術を空気循環式電気掃除機の吸込み口体に単に適用しても、非空気循環式の吸込み口体と同様の理由により塵取り性能を向上させることはできない。
【０００８】
【発明が解決しようとする課題】
本発明が解決しようとする課題は、２本の回転清掃体を備えるものにあって、塵取り性能を向上できる吸込み口体及び電気掃除機を得ることにある。
【０００９】
【課題を解決するための手段】
請求項１の発明は、被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体を前提とする。
【００１０】
そして、前記課題を解決するために、請求項１の発明は、前記清掃体収容室が、前記２本の回転清掃体を覆っていて前記２本の回転清掃体によって満たされるような大きさに形成されているとともに、前記吸込み口体主部が、前記清掃体収容室が延びる方向と同方向に延びて前記清掃体収容室の上側に設けられ、かつ、前記継手管への吸込みに伴って前記清掃体収容室に引き起こされる気流よりも高速の気流が流れるように前記清掃体収容室よりも流路断面積を小さくした塵移送室と、前記両室を連通して前記清掃体収容室の上に設けられ前記掻き上げられた塵が通過する連通口と、前記塵移送室の長手方向の端部に設けられて前記清掃体収容室外の空気を前記塵移送室に前記清掃体収容室を流通させることなく導入する空気導入口とを夫々備え、前記継手管が、前記塵移送室内を長手方向に流動する気流を吸込むように前記空気導入口から離れた位置で前記塵移送室に連通して前記吸込み口体主部に取付けられていることを特徴としている。
【００１１】
請求項１の発明及び以下の各発明は、空気循環式又は非空気循環式の電気掃除機用の吸込み口体に適用できる。又、請求項１の発明及び以下の各発明において、回転清掃体は、清掃体軸の周面全体に清掃要素としてのブラシ毛を植毛してなる回転清掃体を用いることができる他、清掃体軸の周面に、清掃要素としての軟質合成樹脂製のブレード又はブラシ毛をブレード状に一連なりに連続させてなるブラシ状ブレードの内の少なくとも一方を、複数取付けてなる回転清掃体を用いることができ、後者の場合のブレードは、清掃体軸と平行に延びて取付けられていても、或は清掃体軸に対して螺旋状に巻付くように取付けられていてもよい。又、請求項１の発明及び以下の各発明において、２本の回転清掃体は互いの回転軌跡が接触又はラップするように配置されていても、或は互いの回転軌跡が接しないように近接して配置されていてもよい。又、請求項１の発明及び請求項３以下の各発明において、塵移送室に連通する継手管は吸込み口体の幅方向のどの位置に設けてもよいが、空気導入口を吸込み口体の幅方向の両端部に設ける場合には、吸込み口体の幅方向中央部に設けることが好ましい。
【００１２】
又、請求項１の発明において、塵移送室は、２本の回転清掃体に跨るように設けることが好ましいが、一方の回転清掃体にだけ対向させて設けてもよく、したがって、塵移送室の数は単一であっても複数であってもよい。又、請求項１の発明において、空気導入口は吸込み口体の幅方向の一端部又は両端部に設けることができるとともに、この空気導入口に導入される空気は、吸込み口体主部の外部から吸込まれる空気（外気）であってもよく、或は、空気循環式掃除機用の吸込み口体である場合においては、電動送風機から排出され循環される空気であってもよい。なお、空気導入口から外気を吸込む場合、吸込み口体主部の下方、上方、又は側方等から吸込ませることができる。
【００１３】
請求項１の発明では、清掃体収容室の上側の塵移送室に、この塵移送室の長手方向の端部に位置する空気導入口から導入される空気を、塵移送室に沿わせて継手管に向けて流動させ、この継手管に吸込ませることができる。この場合、塵移送室の流路断面積は清掃体収容室の流路断面積より小さいため、継手管への空気の吸込みに伴って清掃体収容室に引き起こされる気流よりも高速の気流を塵移送室に流すことができる。しかも、塵移送室は清掃体収容室の上側に位置しているから、そこを流れる気流と回転清掃体とは殆ど干渉しない。そのため、２本の回転清掃体により被掃除面から掻き上げられて連通口を通り塵移送室に至った塵を、前記高速気流によって円滑に継手管に移送させ吸込ませることができる。
【００１４】
又、請求項２の発明も、被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体を前提とする。
【００１５】
そして、前記課題を解決するために、請求項２の発明は、前記清掃体収容室が、前記２本の回転清掃体を覆っていて前記２本の回転清掃体によって満たされるような大きさに形成されているとともに、前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の底壁をなして前記塵移送室と前記清掃体収容室との間の一部を仕切って設けられた塵受け棚とを夫々備え、前記継手管が、前記塵移送室内を長手方向に流動する気流を吸込むように前記塵移送室に連通して前記吸込み口体主部に取付けられていることを特徴としている。
【００１６】
この請求項２の発明において、塵移送室の流路断面積は、清掃体収容室の流路断面積と同じでも、小さくても、或は大きくてもよい。又、請求項２の発明の塵受け棚は、請求項９又は１０のように形成することが好ましいが、単なる平板状であってもよく、又、塵受け棚は、塵移送室と清掃体収容室との連通口に対して少なくとも継手管がある側に寄せて設けることが好ましい。
【００１７】
請求項２の発明では、清掃体収容室及びこの収容室の上側位置の塵移送室には、継手管の空気の吸込みに伴って、この継手管に向かう空気の流れが形成される。そのため、２本の回転清掃体により被掃除面から掻き上げられて連通口を経て塵移送室に至った塵のうち自由落下するものを、前記継手管への空気流によって、塵受け棚上に移動させてこの棚上にのせて、回転清掃体上に自由落下することを妨げることができる。そして、既述のように塵移送室には継手管に向けて空気が流れているから、この空気流によって塵受け棚上の塵及び塵移送室内を浮遊している塵を、継手管に移送させ吸込ませることができる。この場合、塵移送室は清掃体収容室の上側にあることとあいまって、これら両室間には塵受け棚が位置しているから、塵移送室を流れる空気と回転清掃体とは殆ど干渉しない。そのため、２本の回転清掃体により被掃除面から塵移送室に掻き上げられた塵を、前記気流によって円滑に継手管に移送させ吸込ませることができる。
【００１８】
又、請求項３の発明も、被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体を前提としている。
【００１９】
そして、前記課題を解決するために、請求項３の発明は、前記清掃体収容室が、前記２本の回転清掃体を覆っていて前記２本の回転清掃体によって満たされるような大きさに形成されているとともに、前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の底壁をなして前記塵移送室と前記清掃体収容室との間の一部を仕切って設けられた塵受け棚と、前記塵移送室の長手方向の端部に設けられて前記清掃体収容室外の空気を前記塵移送室に前記清掃体収容室を流通させることなく導入する空気導入口とを夫々備え、前記継手管が、前記塵移送室内を長手方向に流動する気流を吸込むように前記空気導入口から離れた位置で前記塵移送室に連通して前記吸込み口体主部に取付けられていることを特徴としている。
【００２０】
この請求項３の発明の塵受け棚は、請求項９又は１０のように形成することが好ましいが、単なる平板状であってもよく、又、塵受け棚は、塵移送室と清掃体収容室との連通口に対して少なくとも継手管がある側に寄せて設けることが好ましい。
【００２１】
請求項３の発明においては、清掃体収容室の上側の塵移送室に、この塵移送室の長手方向の端部に位置する空気導入口から導入される空気を、塵移送室に沿わせて継手管に向けて流動させ、この継手管に吸込ませることができる。この場合、塵移送室の流路断面積は清掃体収容室の流路断面積より小さいため、継手管への空気の吸込みに伴って清掃体収容室に引き起こされる気流よりも高速の気流を塵移送室に流すことができる。しかも、２本の回転清掃体により被掃除面から掻き上げられて連通口を経て塵移送室に至った塵を、前記継手管へ流れ込む高速の空気流の影響によって、塵受け棚上に移動させてこの棚上にのせて、回転清掃体上に自由落下することを妨げることができる。更に、塵移送室が清掃体収容室の上側にあることとあいまって、これら両室間には塵受け棚が位置しているから、塵移送室を流れる気流と回転清掃体とは殆ど干渉しない。そのため、２本の回転清掃体により被掃除面から掻き上げられて塵移送室に至った塵を、前記高速気流によって円滑に継手管に移送させ吸込ませることができる。
【００２２】
請求項４の発明は、前記塵移送室を前記吸込み口体主部の略全幅にわたって設けたことを特徴としている。
【００２３】
この発明においては、継手管から遠く離れて塵取り力が弱い吸込み口体主部の幅方向の端部で２本の回転清掃体により掻き上げられる塵も、吸込み口体主部の略全幅にわたる塵移送室を通って継手管に吸込まれる気流に乗せて継手管に吸い込ませることができるので、吸込み口体の略全幅にわたり良好な塵取り性能を発揮できる。
【００２４】
請求項５の発明は、前記連通口を、前記２本の回転清掃体に跨るようにこれら清掃体に対向させたことを特徴としている。
【００２５】
この発明においては、２本の回転清掃体が互いに向かいあった上部周面部分の上に連通口が対向して位置されているから、両回転清掃体によって掻き上げられた塵を、その勢いを損なうことなく、気流が流れている塵移送室に円滑かつ確実に供給できる。
【００２６】
請求項６の発明は、電動送風機から排出される空気を循環させながら掃除をする電気掃除機に備えられる吸込み口体であって、前記空気導入口に導入される空気が前記電動送風機から排出されて循環される空気であることを特徴としている。
【００２７】
この発明は、空気循環式電気掃除機用の吸込み口体において、塵移送室に流す気流に電動送風機から排出されて循環される空気を用いて、既述の請求項１又は３で説明した塵取りを行うことができる。
【００２８】
請求項７の発明は、前記空気導入口を前記塵移送室の長手方向の両端部に夫々設けるとともに、前記継手管を前記塵移送室の長手方向中央部に連通して設けたことを特徴としている。
【００２９】
この発明においては、吸込み口体主部の幅方向両端部の夫々から導入される空気を塵移送室に流しながら既述の請求項１又は３で説明した塵取りを行うことができる。
【００３０】
請求項８の発明は、上側に行くほど前記塵受け棚に近付けられる斜状のガイド壁を、前記連通口の上に対向させて設けたことを特徴としている。この発明において、ガイド壁は、斜め又は円弧であってもよい。
【００３１】
この発明においては、２本の回転清掃体により被掃除面から掻き上げられて塵移送室に至った塵を、ガイド壁に衝突させるとともに、このガイド壁に沿わせて塵受け棚上に導くことができる。
【００３２】
請求項９の発明は、前記塵受け棚を、その根元より先端縁を高くしたことを特徴としている。この発明は、請求項１０の発明のように塵受け棚の先端縁を上向きに立ち上がらせて実施することもできるとともに、塵受け棚のその先端に行くほど斜め上向きに設けて実施することもでき、或は、塵受け棚の根元から先端側に行くほど少なくとも上面が下向きに傾斜するも先端縁を根元よりも高く上向きに立ち上がらせて実施することもできる。
【００３３】
この発明においては、塵受け棚上に一旦のせられた塵が、この棚の先端縁からこぼれ落ちることを抑制できる。
【００３４】
請求項１０の発明は、前記塵受け棚の先端縁を上向きに立上らせたことを特徴としている。
【００３５】
この発明においては、塵受け棚上に一旦のせられた塵が、この棚の先端縁からこぼれ落ちることを抑制できるとともに、塵受け棚の上側が凹溝状となるから、そこを空気の通り道として塵を移送することができる。
【００３６】
請求項１１の発明は、掃除機本体内の電動送風機の動作により、前記掃除機本体の集塵室に連通された吸込み口体の塵取り開口から被掃除面の塵を空気とともに吸込んで、この吸込んだ塵を前記集塵室内のフィルタに通して捕捉する電気掃除機において、前記吸込み口体に請求項１〜５、７〜１０の内のいずれか１項に記載の吸込み口体を用いたことを特徴としている。
【００３７】
この発明においては、２本の回転清掃体により被掃除面から掻き上げられて連通口を通り塵移送室に至った塵と回転清掃体との干渉が殆どなく、前記塵移送室内の塵を、この塵移送室を流れる気流によって円滑に継手管に移送させ吸込ませることができ、それにより、吸込み口体主部の幅方向の端部でも塵が取り易い吸込み口体を備えるから、塵取り性能が向上された非空気循環式の電気掃除機を提供できる。
【００３８】
請求項１２の発明は、電動送風機を内蔵した掃除機本体の集塵室に連通された吸込み口体の塵取り開口から被掃除面の塵を取込んで、この取込んだ塵を前記集塵室内のフィルタに通して捕捉し、前記フィルタを通過して前記電動送風機から排出された空気を前記吸込み口体に戻し、この排出空気を前記掃除機本体と前記吸込み口体とにわたって循環させながら掃除をする電気掃除機において、前記吸込み口体に請求項１〜１０の内のいずれか１項に記載の吸込み口体を用いたことを特徴としている。
【００３９】
この発明においては、２本の回転清掃体により被掃除面から掻き上げられて連通口を通り塵移送室に至った塵と回転清掃体との干渉が殆どなく、前記塵移送室に掻き上げられた塵を、両室間に設けた塵受け棚で受けながら塵移送室を流れる気流によって円滑に継手管に移送させ吸込ませることができ、それにより吸込み口体主部の幅方向の端部でも塵が取り易い吸込み口体を備えるから、塵取り塵取り性能が向上された空気循環式の電気掃除機を提供できる。
【００４０】
【発明の実施の形態】
以下、図１〜図１０を参照して本発明の第１実施形態を説明する。
【００４１】
図１は空気循環式電気掃除機Ａの全体を示す斜視図であり、同図中符号１は一対の車輪２（一方のみ図示）及び図示しない旋回輪により被掃除面上を自在に移動できる掃除機本体である。掃除機本体１には、その前部に設けられた吸塵口３に、可撓性の吸塵ホース４と非可撓性の吸塵パイプ５とを有する吸塵用連通管６の一端部つまり吸塵ホース４に設けた接続筒７が取外し可能に嵌合して接続され、連通管６の他端部つまり吸塵パイプ５には後述の吸込み口体８が接続されている。吸塵口３には後述の電動送風機から排出された空気が、吸塵空気と混じることがないように導かれる。
【００４２】
複数の合成樹脂製ケース部材を組合わせて構成された掃除機本体１の前部には、上方を開口した集塵室が形成されているとともに、後部には送風機室が形成されている。集塵室には、その上面開口を通してフィルタとしての集塵袋９が出し入れ可能に収容され、集塵室の上面開口は開閉自在なケース蓋１０によって気密的に閉じられている。両側部に前記車輪２が回転自在に取付けられた送風機室には、電動送風機１１と、コードリール（図示しない）等が収容されている。電動送風機１１から排出された空気（排気）は、集塵室の一側部を迂回して配置された図示しない戻し風路部材を介して吸塵口３に導かれるように構成されている。なお、図１中１３はコードリールに巻き取られる電源コードの先端に接続された差込プラグを示している。
【００４３】
吸塵ホース４は、例えば同軸構造の２重管であって、その蛇腹状内管の内側空間で作られる通気路には後述の吸込み口体８で取込まれた塵が循環する空気とともに通され、前記内管と蛇腹状外管との間に形成された環状の通気路には前記戻り風路部材から導かれた排気が吸塵口３を経て通される。この吸塵ホース４の先端部には上方に突出する把手１５を有した接続筒１６が設けられていて、把手１５には電動送風機１１等に対する各種の運転開始及び運転中止を指示するための手元操作用の制御スイッチ１７が設けられている。
【００４４】
接続筒１６に着脱可能に接続される２本継ぎの吸塵パイプ５は、いずれも合成樹脂製の硬質管からなり、塵埃を吸込むための第１パイプ５ａと排気を吸込み口体８内に戻すための第２パイプ５ｂとを有している。第１パイプ５ａは吸塵ホース４の内管に接続筒１６を介して連通され、同様に第２パイプ５ｂは吸塵ホース４の内外両管間の環状通気路に接続筒１６を介して連通される。
【００４５】
次に、図２〜図１０を参照して吸塵パイプ５の先端部に接続される前記吸込み口体８について説明する。吸込み口体８は、掃除機本体１側に連通される接続部としての合成樹脂製の継手管２１と、合成樹脂製の吸込み口体主部２２と、前後２本の回転清掃体２３、２４と、清掃体駆動装置２５とを備えている。
【００４６】
前記吸塵パイプ５の先端部に着脱可能に嵌入して取付けられることにより掃除機本体１側に連通される継手管２１は、図３、図５、図６に示すように吸込み口体主部２２への固定部３１と、この固定部３１に回動可能に連結された可動部３２とを備えている。
【００４７】
固定部３１は、固定基管３３と、この基管３３の軸回りに沿って回動可能な回動管３４とを備えている。この固定部３１は、その軸線を前後方向に沿わせた姿勢で、固定基管３３の前端部を吸込み口体主部２２の後述する主部下ケースと主部上ケースとで上下から挟まれて、吸込み口体主部２２の後部側でかつこの主部２２の幅方向中央部に固定されている。
【００４８】
固定基管３３は、前後両端が夫々開口された内管部３３ａと、後端が開口された外管部３３ｂと、外管部３３ｂの前端を閉じるようにして両管部３３ａ、３３ｂを一体に連結した前壁３３ｃとを有している。内管部３３ａは外管部３３ｂより長い。内管部３３ａの前端部は、前壁３３ｃを前方に貫通して突出され、吸込みの入口をなしている。内管部３３ａは吸込み風路の一部をなし、内外両管部３３ａ、３３ｂ間には戻り風路の一部をなす通路３５が形成されている。前壁３３ｃには１以上の通気口３６（図６参照）が開けられていている。
【００４９】
回動管３４の前部は二重管構造である。この前部を前記内外両管部３３ａ、３３ｂの外周にこれらの周面に沿って回動可能に夫々嵌合して、回動管３４は固定部３１にその後側から取付けられている。回動管３４はその後部に後面から上面にわたって開放する凹み溝３７を有している。回動管３４内には戻り風路の一部をなす通路３８（図６参照）が通路３５に連通して形成されている。
【００５０】
図３及び図６に示すように可動部３２は、塵埃を吸込むために内管部３３ａに連通される第１パイプ４１と、排気を吸込み口体主部２２内に戻すために通路３８に連通される第２パイプ４２とを有している。第１パイプ４１は前記吸塵パイプ５の第１パイプ５ａに着脱自在に嵌合して接続され、第２パイプ４２がその後端に有する接続部４２ａは吸塵パイプ５の第２パイプ５ｂに着脱自在に嵌合して接続される。
【００５１】
この可動部３２の前端部は、凹み溝３７内に収められて回動管３４の後部に連結されている。この連結は、図６に示されるように第２パイプ４２の両側に互いに逆向きに一体に突設した連結筒部４３を、回動管３４の後部に開けた取付け孔３９に回動可能に嵌合させて行われている。この連結によって、連結筒部４３を介して第２パイプ４２と前記通路３８とが連通され、かつ、可動部３２は、取付け孔３９及び連結筒部４３を中心として略９０°の範囲にわたり前記凹み溝３７に沿って可動できるように取付けられる。
【００５２】
なお、図２中４５は清掃体駆動装置２５に電力を供給するための一対の端子ピンのうちの一方を示しており、これらのピン４５は吸塵パイプ５に継手管２１を接続した時に、吸塵パイプ５の先端部に設けた図示しない端子接触片に接続される。それにより、端子ピン４５から清掃体駆動装置２５に至る電気配線４６（図３参照）、及び吸塵パイプ５内の図示しない電気配線を介して、前記制御スイッチ１７による清掃体駆動装置２５に対する通断電がなされる。
【００５３】
図３及び図４に示すように吸込み口体主部２２は、主部上ケース５１と、主部下ケース５２と、これらの間に挟着される主部中ケース５３とを有して形成され、主部上下両ケース５１、５２はねじ止めにより連結されている。主部上ケース５１は、その裏面に複数のリブを有し、これらリブで主部中ケース５３を上方から押さえつけた状態で、主部下ケース５２に被着されている。主部下ケース５２の底壁には、複数の走行用のローラ５４（図７参照）が取付けられている。吸込み口体主部２２内には、この主部２２の幅方向略全長（略全幅）にわたる長さの清掃体収容室５７と、吸込み口体主部２２の幅方向全長の略半分以上の長さの塵移送室５８とが設けられている。
【００５４】
清掃体収納室５７には前記２本の回転清掃体２３、２４が互いに平行に並べて収容されている。清掃体収容室５７は、主部下ケース５２の底壁に開口して床等の被掃除面に臨む塵取り開口５７ａを有している。この開口５７ａは図７に示すように吸込み口体主部２２の幅方向両端部を除いて略全幅にわたり設けられている。清掃体収容室５７は、そこに収容された２本の回転清掃体２３、２４によって略満たされるような大きさに形成されている。そのため、この収容室５７の内面は、並設された２本の回転清掃体２３、２４の回転軌跡Ｒ１、Ｒ２（図４中一点鎖線参照）との間に比較的大きな隙間を作ることなく接近するように、これら回転清掃体２３、２４を前後及び上側から覆って設けられている。
【００５５】
なお、図３及び図４中５９は主部下ケース５２の前壁を斜めに貫通して設けられた１以上の吸込み孔であって、その後端は清掃体収容室５７に開口されている。この吸込み孔５９は吸込み口体８の前縁を壁際に押付けた際に、この壁際の隅部の塵を吸込むために設けられている。
【００５６】
主部中ケース５３は、主部下ケース５２の前部を上方から覆って取付けられており、主部下ケース５２の前部上面に起立させた略長方形状をなして互いに連続するリブ５２ａ〜５２ｄと共に塵移送室５８を区画形成している。好ましい例として清掃体収容室５７の上側にこの収容室５７と略同じ長さを有して設けられた塵移送室５８は、清掃体収容室５７が延びる方向と同方向、つまり、清掃体収容室５７と同様に吸込み口体８の幅方向に延びているとともに、清掃体収容室５７と連通口６１を通して連通されている。この塵移送室５８は吸込み口体主部２２の略全幅にわたって設けられ、その両端側は図５及び図６に示すように継手管２１の固定部３１を境にその両側に略等しく振分けて設けられている。吸込み口体８を前後方向に沿って断面した時に現われる塵移送室５８の流路断面積は、同様な清掃体収容室５７の流路断面積よりも小さい。それにより、吸込み口体８の幅方向に沿って塵移送室５８を流れる空気の流速が、同様に吸込み口体８の幅方向に沿って清掃体収容室５７を流れる空気の流速より速くなるように設定されている。
【００５７】
連通口６１も清掃体収容室５７と略同じ長さで吸込み口体８の幅方向に延びて設けられていて、その両端側は図５及び図６に示すように継手管２１の固定部３１を境にその両側に略等しく振分けて設けられている。連通口６１は、清掃体収容室５７と塵移送室５８との間を一部仕切って塵移送室５８の後部底壁をなして設けられた塵受け棚６２によって、吸込み口体８の前後方向に絞られている。この連通口６１は前記前後一対の回転清掃体２３、２４に跨るようにこれら清掃体２３、２４の真上に対向している。そのため、連通口６１は回転清掃体２３、２４のラップ部分に対向している。連通口６１の上方に対向する主部中ケース５３の対向壁部分は、上側に行くほど連通口６１に被さるように傾斜されたガイド壁５３ａをなしている。したがって、このガイド壁５３ａは上側に行くほど塵受け棚６２に近付けられている。
【００５８】
塵受け棚６２は後側の回転清掃体２４を上方から覆って設けられている。この棚６２は継手管２１の内管部３３ａに近づくにしたがって次第に下がるように傾斜されていて、そのため、本実施形態では逆ハの字状に傾けられている。それにより、内管部３３ａへの塵を含んだ空気の吸込みをより容易にしている。
【００５９】
塵受け棚６２の前側の先端縁６２ａは上向きに立ち上げられている。この先端縁６２ａの上端の高さは塵受け棚６２の根元より高くなっており、それに伴い塵受け棚６２の上面は凹溝状（樋状）をなしている。なお、前記先端縁６２ａの構成に代えて、図９（Ａ）に示すように塵受け棚６２の少なくとも上面を、この棚６２の出幅方向先端に行くにしたがって次第に高くなるように傾斜させた構成とすることにより、先端縁６２ａの上端の高さを塵受け棚６２の根元より高くするとともに塵受け棚６２の上面を樋状としてもよい。同様に、図９（Ｂ）に示すように塵受け棚６２の根元の高さ位置を先端縁６２ａの上端の高さ位置以上の高くして、塵受け棚６２の上面を樋状とすることもできる。
【００６０】
主部中ケース５３の前記継手管２１における固定基管３３と対向する部分、本実施形態では主部中ケース５３の長手方向中央部には、上方及び後方に広がる広がり部５３ｂを有している。広がり部５３ｂの後縁は固定基管３３における内管部３３ａの前縁に被せられている。そのため、広がり部５３ｂを介して吸気用の内管部３３ａと塵移送室５８とが連通されているとともに、塵移送室５８及び前記連通口６１を介して吸気用の内管部３３ａと清掃体収容室５７の長手方向中間部とが連通されている。しかも、図３及び図５に示すように継手管２１と清掃体収容室５７との連通箇所に対応する塵受け棚６２の先端縁６２ａ側部分は切り欠かれている。この切欠き６３によって、前記連通口６１は部分的に継手管２１側に寄るように後側に拡大されている。
【００６１】
又、図４〜図６に示すように主部下ケース５２には前記リブ５２ｂと対向し、かつ、略平行な上向きのリブ５２ｅが設けられ、これら相対向するリブ５２ｂ、５２ｅ間には前記塵移送室５８の後側に沿って吸込み口体主部２２の幅方向に延びる風路６５が設けられている。風路６５の長手方向中間部は前記通気口３６に連通されている。そのため、前記電動送風機１１から排出されて通気口３６から流出した空気は、塵移送室５８の後側を迂回するように吸込み口体主部２２の幅方向に風路６５に沿って流動する。この風路６５の上方は主部中ケース５３によって閉じられている。
【００６２】
図６に示すように風路６５の長手方向の一端部は、この端部に対応する塵移送室５８の長手方向の一端部外面に沿うように回り込んでいる。この回り込んだ風路部分は、塵移送室５８の一端壁をなして前記リブ５２ａ、５２ｂ間にわたって設けられているリブ５２ｃに開けた通気部６６を介して塵移送室５８内と連通されている。通気部６６は塵受け棚６２がある塵移送室５８の後部一端壁に設けられていて、それにより、主として塵受け棚６２に沿うように塵移送室５８に風が導入されるようにしてある。図６中５２ｆは前記風路６５の回り込んだ一端を仕切るためにリブ５２ｃ、５２ｅ間にわたって一体に設けたガイドリブであり、風路６５から塵移送室５８の一端部への風の導入を円滑にしている。
【００６３】
図６に示すように風路６５の長手方向の他端部は開放されていて、吸込み口体主部２２の長手方向他端部に確保される駆動装置収容部２２ａに連通されている。そして、駆動装置収容部２２ａは、塵移送室５８の長手方向の他端部に連通されている。つまり、塵移送室５８の他端壁をなして前記リブ５２ａ、５２ｂ間にわたって設けられているリブ５２ｄに開けた通気部６８を介して塵移送室５８内と連通されている。通気部６８は塵受け棚６２がある塵移送室５８の後部一端壁に設けられていて、それにより、主として塵受け棚６２に沿うように塵移送室５８に風が導入されるようにしてある。図６中５２ｇは、風路６５から駆動装置収容部２２ａを経由した風の塵移送室５８の他端部への導入を円滑にするリブ５２ｄに一体に設けたガイドリブである。
【００６４】
駆動装置収容部２２ａには、前記清掃体駆動装置２５が収容され、この装置２５は主部上下両ケース５１、５２で挟持されている。この清掃体駆動装置２５は、図１０に示すように電動モータ７１と、歯車ケース７２と、清掃体収容室５７内に臨んで設けられる前後一対の継手７３、７４とを備えて、ユニット化されている。
【００６５】
図１０（Ａ）（Ｃ）に示すように歯車ケース７２は第１、第２のケース部材７２ａ、７２ｂをねじ止め等により連結して形成されており、その第１ケース部材７２の一端部外面に電動モータ７１が固定されている。第１、第２のケース部材７２ａ、７２ｂは互いの位置決め（図示しない）によって位置決めされた状態で組立てられている。図１０（Ａ）に示すように歯車ケース７２内には、継手７３、７４への伝動機構として例えば第１〜第９の歯車７５ａ〜７５ｉからなる歯車列７５が収容されている。この歯車列７５に対する防塵は歯車ケース７２によりなされる。
【００６６】
歯車列７５の構成を示す図１０（Ｂ）中符号７５ａで示す第１歯車は、電動モータ７１の出力軸に固定された駆動歯車であり、これに減速用の第２歯車７５ｂが噛合わされている。第２歯車７５ｂと一体に回転しかつ第２歯車７５ｂより小径な第３歯車７５ｃには、減速用の第４歯車７５ｄが噛合わされている。この第４歯車７５ｄと一体に回転しかつ第４歯車７５ｄより小径な第５歯車７５ｅには、この歯車７５ｅより大径で減速歯車を兼ねる中継用の第６歯車７５ｆが噛合わされ、更に、この第６歯車７５ｆには中継用の第７歯車７５ｇが噛合わされている。互いに逆方向に回転される第６歯車７５ｆと第７歯車７５ｇとは例えば同径であるが、必要に応じて径を違えることもできる。このように径を変える場合には、第６歯車７５ｆと第７歯車７５ｇの回転速度が異なるので、一対の回転清掃体２３、２４の互いにラップしている後述の清掃要素を擦り合わせて、これら清掃体要素に付着する綿埃等の塵を除去し易い点で優れている。第６歯車７５ｆには第１最終歯車としての第８歯車７５ｈが噛合わされており、同様に第７歯車７５ｇには第２最終歯車としての第９歯車７５ｉが噛合わされている。これら第８、第９の歯車７５ｈ、７５ｉは同径であって、第８歯車７５ｈには第１ケース部材７２ａを貫通する継手７３が連結され、第９歯車７５ｉには第１ケース部材７２ａを貫通する継手７４が連結されている。なお、図１０（Ｂ）中矢印は各歯車７５ａ〜７５ｉの回転方向を示している。
【００６７】
このような歯車列７５を伝動機構として用いることにより、電動モータ７１の回転を減速し２系統に分岐して前後一対の継手７３、７４を互いに逆方向に略同一速度で回転させることができる。そして、歯車列７５による減速作用で容量の大きい電動モータ７１を使用することなく、最終歯車に連結された継手７３、７４の回転トルクを上げることができるから、吸込み口体８全体の軽量化に貢献するとともに、掃除の際に吸込み口体８を動かす操作性も向上できる。
【００６８】
また、図１０（Ｃ）中符号７６、７７は第１ケース部材７２ａに形成した凹部７８に圧入して取付けられた軸受であり、これらは最終歯車と継手７３又は７４を連結する図示しない回転軸を軸支するために設けられている。
【００６９】
一方の軸受７６の外輪は、第２ケース部材７２ｂの縁の一部７２ｂｆと、第２ケース部材７２ｂの内面に突設した第１突起７９ａとで軸方向から押えられている。他方の軸受７７の外輪は、前記第１突起７９ａとこれと同様に第２ケース部材７２ｂの内面に突設した第２突起７９ｂとで軸方向から押えられている。このように前記凹部７８から軸受７６、７７が外れないように軸方向に固定することにより、軸受７６、７７を凹部７８に接着止めする手間を不要にでき、歯車ケース７２を組立てると同時に軸受７６、７７を適正位置に固定することができる。
【００７０】
前記構成の清掃体駆動装置２５は、前記風路６５から駆動装置収容部２２ａに流出されて通気部６８に至る風に晒されるので、この空気流によって、特に電動モータ７１の空冷がなされる。
【００７１】
清掃体駆動装置２５が設置された側と反対側に位置する清掃体収容室５７の端部には、図示しない前後一対の軸受サポート部が前記図示しない両継手の夫々に個別に対応して設けられている。清掃体収容室５７には前後一対の回転清掃体２３、２４が後述のように取外し可能に収容されている。
【００７２】
図７及び図８に示すように両回転清掃体２３、２４は、いずれも清掃体軸８１の一端部に継手８２を取付けるとともに、他端部に清掃体軸８１を回転自在に支持する軸受８３を取付け、かつ、これら継手８２と軸受８３との間に複数枚の清掃要素としての可撓性ブレード８４を取付けて形成されている。これらの回転清掃体２３、２４はそのブレード８４の先端部が塵取り開口５７ａを通過して被掃除面に接する高さ位置に清掃体収容室５７に取付けられる。
【００７３】
前側の回転清掃体２３は、その一端部の継手８２を清掃体駆動装置２５が有する図示しない前記前側の継手に挿脱可能に凹凸嵌合させて接続されるとともに、他端部の軸受８３を主部下ケース５２の前記図示しない前側の軸受サポート部に下側から嵌め付けることによって、清掃体収容室５７の前部に回転可能に取付けられ、この逆の手順によって取外すことができる。同様に、後側の回転清掃体２４も、その一端部の継手８２を清掃体駆動装置２５が有する図示しない前記後側の継手に挿脱可能に凹凸嵌合させて接続されるとともに、他端部の軸受８３を主部下ケース５２の前記図示しない後側の軸受サポート部に下側から嵌め付けることによって、清掃体収容室５７の後部に回転可能に取付けられ、この逆の手順によって取外すことができる。
【００７４】
なお、主部下ケース５２にはその下側から清掃体収容室５７の軸受サポート部側の端部に対応する部分を閉じる押さえ板８５（図７参照）が着脱可能に取付けられている。この取付けによって、前後の軸受サポート部が下側から塞がれて、これからの継手８２の脱落が防止される。
【００７５】
前記構成において、吸込み口体８の可動部３２の第２パイプ４２、回動管３４の通路３５、回動管３４の通気口３６、風路６５、通気部６６、６８、及び塵移送室５８は、この記載順に互いに連通されていて、掃除機本体１の電動送風機１１から排出される空気を、吸込み口体８内において導く戻り風路を形成している。又、可動部３２の第１パイプ４１及びこれに直接連通した回動基管３３の内管部３３ａは、掃除機本体１の電動送風機１１に吸込まれる空気を吸込み口体８内において導く吸込み風路を形成している。この吸込み風路の入口である内管部３３ａの前端開口は、塵移送室５８及びこの移送室５８と連通口６１を介して清掃体収容室５７に連通されている。
【００７６】
そして、前記構成の吸込み口体８及びこれを備えた空気循環式電気掃除機を用いて掃除をする場合は、掃除機本体１に吸塵ホース４、吸塵パイプ５を図１に示すように順に接続し、吸塵パイプ５の先端部に吸込み口体８の継手管２１を接続し、吸込みホース４の把手１５に設けた制御スイッチ１７のうちのいずれかを閉成操作する。この閉成操作がされることにより掃除機本体１に内蔵の電動送風機１１が運転し、又、吸込み口体８に内蔵の清掃体駆動装置２５の電動モータ７１が運転されるに伴い、清掃体収容室５７内の前後一対の回転清掃体２３、２４、が、内内方向、つまり、塵取り開口５７ａにおいて互いに向かい合う方向（図３及び図４中矢印イ、ロ参照）に夫々同期して回転駆動される。なお、スイッチ操作により回転清掃体２３、２４の回転は任意に停止させることができる。
【００７７】
一方、電動送風機１１の吸込み作用によって、吸込み口体８の塵移送室５８内の空気が吸込まれ、この吸込み空気は、継手管２１における可動部３２の第１パイプ４１及びこれに直接連通した回動基管３３の内管部３３ａ、吸塵パイプ５、吸塵ホース４、及び吸塵口３の夫々の吸込み風路を経て（図１に実線の矢印で示す経路）集塵室内に吸込まれる。塵埃は集塵袋９によって除去され、吸込み気流は排気風として電動送風機１１から排出される。この排気風は、図１に点線の矢印で示す経路をなす掃除機本体１の図示しない戻り風路部材、吸塵口３、吸塵ホース４、吸塵パイプ５、及び吸込み口体８に戻される。そして、吸込み口体８に戻された排気は、可動部３２の第２パイプ４２、回動管３４の通路３５、回動管３４の通気口３６、風路６５、通気部６６、６８を通って、塵移送室５８内にこの室５８の長手方向両端部から継手管２１側に向けて吹き出された後、既述の吸込みにより掃除機本体１側に吸込まれる。以上の繰り返しにより電動送風機１１から排出された空気が掃除機本体１と吸込み口体８とにわたって循環される。
【００７８】
すなわち、掃除機本体１の電動送風機１１から排出された空気は、吸塵ホース４及び吸塵パイプ５の戻し用風路から吸込み口体８内での前記戻し風路を流動して、吸込み口体８内の前記吸込み風路に吸込まれた後、吸塵ホース４及び吸塵パイプ５の吸込み用風路を通って掃除機本体１の集塵室から電動送風機１１に吸込まれて循環する。
【００７９】
この主たる空気循環の経路中には清掃体収容室５７は含まれていないから、主たる循環空気が清掃体収容室５７を流通することはない。そのため、吸込み口体８内に導入された戻り空気の殆どは、清掃体収容室５７内の２本の回転清掃体２３、２４の外周面に沿って流通することがなく、清掃体収容室５７より上側の塵移送室５８を流通して継手管２１の内管部３３ａに吸込まれて掃除機本体１側に回収される。
【００８０】
前記主たる空気循環において、塵移送室５８にその長手方向の端部から導入される空気は、電動送風機１１の排気圧により元々流動するエネルギーを有していることに加えて、塵移送室５８の流路断面積が小さくなっていることにより、この塵移送室５８内を高速度で流通する。
【００８１】
一方、前記空気循環と同時に前後一対の回転清掃体２３、２４が回転駆動されて、そのブレード８４によって被掃除面の塵が掻き上げられる。この場合、２本の回転清掃体２３、２４は、塵取り開口５７ａにおいて互いに向かい合う方向に回転駆動されているから、被掃除面の塵は両回転清掃体２３、２４間を通って上方へ勢いよく掻き上げられる。この掻き上げは、回転清掃体２３、２４の全長、言い換えれば、吸込み口体８の幅方向両端部を除く略全長にわたって行われる。
【００８２】
こうして被掃除面から掻き上げられた塵は、その勢いによって、２本の回転清掃体２３、２４の互いに向い合っている上部周面間スペースの真上に対向している連通口６１を、何ら妨げられることなく容易に通過して、この連通口６１上に対向している主部中ケース５３の斜めのガイド壁５３ａにあたって、この塵受け棚６２側に導かれる。しかも、塵移送室５８において塵受け棚６２上を主として流動する高速の風の影響、及び前記内管部３３ａでの空気の吸込みの影響によって、連通口６１を通って塵移送室５８に至った空気は前記高速の風に合流するように流動されている。
【００８３】
そのため、前記掻き上げによって連通口６１を通過した塵は、その真下に自由落下して清掃体収容室５７に戻ることがなく、この塵を連通口６１より後側の塵受け棚６２側に円滑に移動させて、この棚６２上に載せることができる。しかも、塵受け棚６２の先端縁６２ａは立ち上がっているので、塵受け棚６２上に一旦のせられた塵が、先端縁６２ａを越えて脱落することは抑制されるとともに、この立ち上がった先端縁６２ａにより塵受け棚６２を風の通り道となるように樋状にできるので、その上を流れる高速の風の流れを円滑に案内して、より高速の風を塵受け棚６２上に流させることができる。
【００８４】
前記のように塵が清掃体収容室５７から供給される塵移送室５８には既述のように循環気流が高速で流動している。そのため、塵受け棚６２上の塵および塵移送室５８内を浮遊している塵を、高速空気流にのせて継手管２１まで移送して、その内管部３３ａに吸込ませることができる。
【００８５】
このように前後２本の回転清掃体２３、２４が掻き上げた塵を、清掃体収容室５７とは別の塵移送室５７を流れる高速の空気によって吸込み側に移送させるから、継手管２１に至る塵の空気移送において２本の回転清掃体２３、２４が風路抵抗となることがない。そのため、空気移送される塵が両回転清掃体２３、２４に引っ掛かることが殆どなく、掻き上げられた塵を円滑かつ確実に継手管２１の内管部３３ａに移送して吸込ませることができる。
【００８６】
したがって、吸込み力が波及しづらい吸込み口体８の幅方向の端部において掻き上げられた塵であっても、これを、以上のように吸込み口体８の略全幅に設けられている塵移送室５８を通る気流により、移送して継手管２１に吸込ませることができるので、塵取り性能を向上できる。
【００８７】
しかも、吸込み力は主として高速の空気を流す塵移送室５７に作用し、この室５７とは絞りとなっている連通口６１を介して連通されている下側の清掃体収容室５７への前記吸込み力の波及は弱い。そのため、被掃除面に臨んだ清掃体収容室５７の塵取り開口５７ａが被掃除面に吸付けられることも防止でき、吸込み口体８を軽く被掃除面上で動かすことができ、操作性がよい。
【００８８】
以上のように前記構成の吸込み口体８及びこれを備えた空気循環式電気掃除機を用いての掃除においては、前後一対の回転清掃体２３、２４がかき上げた被清掃面の塵を、清掃体収容室５７上に位置した塵移送室５８に移し、電動送風機１１から排出されて実質的に完全循環しながら前記塵移送室５８を高速で流れる循環風を利用して、塵移送室５８内の塵を移送して吸込み風路に吸込ませることができ、しかも、吸込み口体８を被掃除面上に軽く移動させながら、この被掃除面を掃除することができる。
【００８９】
図１１〜図１３は本発明の第２実施形態を示している。この実施形態は基本的には第１実施形態と同じであるため、第１実施形態と同様な構成については第１実施形態と同一符号を付してその説明を省略し、以下第１実施形態とは異なる構成について説明する。
【００９０】
第２実施形態の主部中ケース９１は、図１１及び図１２に示すようにリブ５２ａ〜５２ｄで囲まれる範囲を覆ってこれらリブ５２ａ〜５２ｄとの間に塵移送室５８を形成しているが、風路６５の上方は覆っていない。そのため、風路６５に導かれた循環風は、塵移送室５８及び風路６５を除いて主部上下ケース５１、５２と主部中ケース５３との間に形成される吸込み口体主部２２の内部空間（循環風吹出し室）５６に流出されて満ちるようになっている。
【００９１】
そして、リブ５２ｃ、５２ｄは第１実施形態の通気部６６、６８を有しない壁としてあって、図１１に示すように通孔からなる通気部６６、６８は、主部中ケース９１の長手方向両端部上面において塵移送室５８の長手方向両端部の後部側に連通して開口されている。主部中ケース９１の長手方向両端部上面には、通気部６６、６８の前側に隣接位置して通孔からなる他の通気部９２、９３が形成されている。これら通気部９２、９３は図１３で代表して示すように連通口６１の長手方向両端部に対向していて、結果的に清掃体収容室５７の長手方向両端部にその上方から連通して設けられている。
【００９２】
更に、主部中ケース９１の長手方向両端部には、前後方向に対応する一方の通気部６６、９２の境をなして下向きに突出するガイドリブ５２ｆが一体形成されているとともに、前後方向に対応する他方の通気部６８、９３の境をなして下向きに突出するガイドリブ５２ｇが一体形成されている。ガイドリブ５２ｇ、５２ｆの下端は、図１２及び図１３に示すようにリブ５２ｂとともに塵受け棚６２を樋状とする上向きの先端縁６２ａの長手方向の端部に、接触ないしは近接されている。
【００９３】
したがって、この第２実施形態では、継手管２１の内外両管部間を通って風路６５に導かれながら吸込み口体主部２２内に吹き出された循環風が、主部中ケース９１の通気部６６、６８を通って塵移送室５８にその長手方向両端部から流入するとともに、ガイドリブ５２ｇ、５２ｆによって流れ方向を塵移送室５８にその長手方向に沿うように導かれる。それにより、循環風は、塵移送室５８の後部を長手方向に流動して継手管２１の吸込み部である内管部に吸込まれる。
【００９４】
又、掃除機本体と吸込み口体８とにわたって循環する空気の一部は、既述のような風の流れとは別に、通気部９２、９３及びその直下の連通口６１の端部を通って清掃体収容室５７に流入し、この収容室５７を長手方向に流動しながら再び連通口６１を通って塵移送室５８に至り、この室５８を流れている風と合流して、継手管２１に対応する位置でこの継手管２１の内管部３３ａに吸込まれる。なお、図１３中７３、７４は清掃体駆動装置２５が有している前後一対の継手を示している。
【００９５】
以上説明した循環風の流れ方以外の構成は、図１１〜図１３に示されない構成を含めて第１実施形態と同じである。そのため、この第２実施形態においても、第１実施形態と同様の作用を得ることができ、それにより、本発明の課題を解決できるが、その説明は重複説明を避けるためにここでは省略する。又、この第２実施形態では、既述のように循環風の一部を、清掃体収容室５７内に導入させた後に、連通口６１を通して塵移送室５８を流れる気流に合流させているので、回転清掃体２３、２４が被掃除面から掻き上げた塵を塵受け棚６２上に円滑に運び易く、塵取り性能をより向上できる点で優れている。
【００９６】
図１４〜図１７は本発明の第３実施形態を示している。この実施形態は基本的には第１実施形態と同じであるため、第１実施形態と同様な構成については第１実施形態と同一符号を付してその説明を省略し、以下第１実施形態とは異なる構成について説明する。
【００９７】
第３実施形態の主部中ケース９１は、図１５に示すリブ５２ａ〜５２ｄで囲まれる範囲を覆ってこれらリブ５２ａ〜５２ｄとの間に塵移送室５８を形成しているが、風路６５の上方は覆っていない。そのため、風路６５に導かれた循環風は、塵移送室５８及び風路６５を除いて主部上下ケース５１、５２と主部中ケース５３との間に形成される吸込み口体主部２２の内部空間（循環風吹出し室）５６に流出されて満ちるようになっている。
【００９８】
塵移送室５８は吸込み口体主部２２の幅方向の略半分以上の長さ、例えば略半分の長さに形成されていて、継手管２１の固定部３１を境にその両側に略等しく振分けられるように吸込み口体主部２２の幅方向中央部に設けられている。したがって、塵移送室５８の全長は当然に一対の回転清掃体２３、２４の全長よりも短い。
【００９９】
そして、リブ５２ｃ、５２ｄは第１実施形態の通気部６６、６８を有しない壁としてあって、図１４に示すように通孔からなる通気部６６、６８が、主部中ケース９１の長手方向両端部上面において塵移送室５８の長手方向両端部の後部側に連通して開口されている。主部中ケース９１の長手方向両端部上面には、通気部６６、６８の前側に隣接位置して通孔からなる他の通気部９２、９３が形成されている。これら通気部９２、９３は図１７で代表して示すように連通口６１の長手方向両端部に対向していて、結果的に清掃体収容室５７の長手方向両端部寄りの中間部にその上方から連通して設けられている。
【０１００】
更に、図１４及び図１７に示すように主部中ケース９１の長手方向両端部には、前後方向に対応する一方の通気部６６、９２の境をなして下向きに突出するガイドリブ５２ｆが一体形成されているとともに、前後方向に対応する他方の通気部６８、９３の境をなして下向きに突出するガイドリブ５２ｇが一体形成されている。ガイドリブ５２ｇ、５２ｆの下端は、図１６に示すようにリブ５２ｂとともに塵受け棚６２を樋状とする上向きの先端縁６２ａの長手方向の端部に、接触ないしは近接されている。なお、図１７中７３、７４は清掃体駆動装置２５が有している前後一対の継手を示している。
【０１０１】
したがって、この第３実施形態では、継手管２１の内外両管部間を通って風路６５に導かれながら吸込み口体主部２２内に吹き出された循環風が、主部中ケース９１の通気部６６、６８を通って、吸込み口体主部２２の幅方向中央部に位置する塵移送室５８にその長手方向両端部から流入するとともに、ガイドリブ５２ｇ、５２ｆによって流れ方向を塵移送室５８にその長手方向に沿うように導かれる。それにより、循環風は、塵移送室５８の後部を長手方向に流動して継手管２１の吸込み部である内管部３３ａに吸込まれる。
【０１０２】
又、掃除機本体と吸込み口体８とにわたって循環する空気の一部は、既述のような風の流れとは別に、通気部９２、９３及びその直下の連通口６１の端部を通って清掃体収容室５７に流入し、この収容室５７を長手方向に流動しながら再び連通口６１を通って塵移送室５８に至り、この室５８を流れている風と合流して、継手管２１に対応する位置でこの継手管２１の内管部３３ａに吸込まれる。なお、こうした気流に伴って、この気流には清掃体収容室５７の端部側の空気が引き寄せられて合流する。
【０１０３】
以上説明した循環風の流れ方以外の構成は、図１４〜図１７に示されない構成を含めて第１実施形態と同じである。そのため、この第３実施形態においても、第１実施形態と同様の作用を得ることができ、それにより、本発明の課題を解決できるが、その説明は重複説明を避けるためにここでは省略する。又、塵移送室５８の長さが吸込み口体主部２２の略半分であるにも拘らず、既述のように清掃体収容室５７の端部側の空気を引き寄せるので、２本の回転清掃体２３、２４により清掃体収容室５７の端部側で掻き上げられた軽い塵を前記気流に乗せて継手管２１に向けて流動させて吸込むことができる。なお、本発明者が行った実験の結果によれば、塵移送室５８の長さが吸込み口体主部２２の半分より短くした場合には、吸込み口体８の幅方向両端部での塵取り性能が大幅に低下することが分かった。又、清掃体収容室５７及び塵移送室５８の長手方向中央部には継手管２１が連通されていて、前記中央部の吸込み負圧は大きいので、比較的大きな塵は吸込み口体主部２２の中央部において効果的に取込むことができる。
【０１０４】
しかも、この第３実施形態では、既述のように循環風の一部を、清掃体収容室５７内に導入させた後に、連通口６１を通して塵移送室５８を流れる気流に合流させているので、回転清掃体２３、２４が被掃除面から掻き上げた塵を塵受け棚６２上に円滑に運び易く、塵取り性能をより向上できる点で優れている。
【０１０５】
図１８〜図２０は本発明の第４実施形態を示している。この実施形態は非空気循環式電気掃除機Ｅ及びそれ用の吸込み口体１１１に本発明を適用した例を示している。
【０１０６】
図１８中１１２は図示しない車輪により被掃除面上を移動可能な掃除機本体で、その前部に設けられた吸塵口１１３には、図示しない可撓性の吸塵ホースと非可撓性の吸塵パイプとを有する吸塵用連通管の一端部が取外し可能に嵌合して接続され、この連結管の他端部には吸込み口体１１１が取外し可能に嵌合して接続されている。吸塵用連通管には吸込み空気流のみが通されるようになっている。掃除機本体１１２の前部の集塵室には、集塵袋（フィルタ）１１４が出し入れ可能に収容されているとともに、掃除機本体１１２の後部の送風機室には電動送風機１１５等が収容されている。電動送風機１１５から排出された空気は、掃除機本体１１２の後部に設けた排気部１１６を通って外部に放出されるように構成されている。
【０１０７】
吸込み口体１１１は、吸込み口体主部１２１、前後一対の回転清掃体１２３及び１２４、継手管１２５、及び清掃体駆動装置１２６等を備えている。
【０１０８】
吸込み口体主部１２１は、主部上ケース１２８と主部下ケース１２９とを連結して形成されている。主部下ケース１２９の前部は清掃体収容室１３１をなしており、この収容室１３１は被掃除面に臨む塵取り開口１３１ａを有している。この開口１３１ａは吸込み口体１１１の両端部を除く略全幅にわたって設けられている。更に、図１８及び図２０に示すように主部下ケース１２９の天井壁には、上向きのリブからなる互いに略平行な前後一対の仕切り壁１３２、１３３が一体に突設されているとともに、これら両壁１３２、１３３間に連通口１３５を設けている。
【０１０９】
主部上ケース１２９は仕切り壁１３２、１３３の上端間を閉じて設けられており、これら主部上ケース１２９と前後の仕切り壁１３２、１３３とで囲まれる空間によって、清掃体収容室１３１の上側にこの室１３１と連通口１３５を介して連通された塵移送室１３６が形成されている。この塵移送室１３６の風路断面積は清掃体収容室１３１の風路断面積よりも小さい。又、前記天井壁の一部は後側の仕切り壁１３３側に位置されていて塵移送室１３６と清掃体収容室１３１との間を仕切っており、この壁部分は塵受け棚１３９として使用されている。
【０１１０】
塵移送室１３６及び塵受け棚１３９は、吸込み口体主部１２１の幅方向略全長に延びて、つまり略全幅にわたり設けられている。塵移送室１３６の長手方向の少なくとも一端部例えば両端部に夫々空気導入口１３７（図１９参照）が設けられている。これら導入口１３７は、吸込み口体１１１の外部に直接連通するように例えば主部上ケース１２９の両端部上面に開放されて、外気を吸込み可能としてある。
【０１１１】
前後一対の仕切り壁１３２、１３３の内、例えば後側の仕切り壁１３３には、塵移送室１３６の長手方向に沿って空気導入口１３７から離れた位置、好ましくは塵移送室１３６の長手方向略中央部に位置して吸気開口１３８が設けられている。吸込み口体主部１２１の幅方向中央部には、継手管１２５の前端部が上下のケース１２８、１２９の後部で挟持されて取付けられ、この継手管１２５と前記吸気開口１３８とは連通されている。前記吸塵用連通管の先端部に接続される継手管１２５は、その内部を吸込み空気が主に流通可能に構成されている。
【０１１２】
したがって、電動送風機１１５が運転されるに伴って生じる吸込み力は、吸塵用連通管、継手管１２５及び吸気開口１３８を介して塵移送室１３６に波及し、更に、塵受棚１３９で絞られている連通口１３５を介して塵移送室１３６から清掃体収容室１３１に波及する。
【０１１３】
そのため、空気導入口１３７から塵移送室１３６に吸込まれる外気が塵移送室１３６内を高速度で流通して吸気開口１３８を通って継手管１２５に吸込まれる。同時に、前記外気導入に応じて清掃体収容室１３１に波及する吸込み圧力が減少した状態で、この収容室１３１内の空気が連通口１３５を通って塵移送室１３６内に吸込まれ、そして、この空気は塵移送室１３６内の高速空気流と合流して、吸気開口１３８を通って継手管１２５に吸込まれる。
【０１１４】
図１８に示すように清掃体収容室１３１にこれを略満たすように収容された前後２本の回転清掃体１２３、１２４の一端部は、図２０に示すように軸受１４１に支承されており、かつ、他端部には互いに噛合う歯車１４２、１４３に個別に支持されている。歯車１４２、１４３は清掃体駆動装置１２６の最終歯車をなすものであって、その回転により前後２本の回転清掃体１２３、１２４を、塵取り開口１３１ａにおいて互いに向かい合うように図１８中矢印イ、ロ方向に回転駆動させる。
【０１１５】
吸込み口体主部１２１に内蔵された清掃体駆動装置１２６は、電動モータ１４５と、巻掛け伝動機構１４６と、前記最終歯車１４２、１４３とを備えている。巻掛け伝動機構１４６は、電動モータ１４５に連結された駆動用歯付きプーリ１４７と、後側の最終歯車１４３に同軸に連結された被動用歯付きプーリ１４８と、これらプーリ１４７及び１４８にわたって巻掛けられたタイミングベルト１４９とにより形成されている。
【０１１６】
したがって、電動モータ１４５の動力によって前後２本の回転清掃体１２３、１２４を内内方向（図１８中矢印イ、ロ方向）に回転駆動させて、その清掃要素としてのブレードにより被掃除面の塵を、回転清掃体１２３、１２４間を通るように掻き上げることができる。
【０１１７】
この第４実施形態においても、清掃体駆動装置１２６の運転に伴い、回転駆動される前後２本の回転清掃体１２３、１２４により被掃除面から掻き上げられた塵は、清掃体収容室１３１とは別にこの上側に形成された塵移送室１３６に至り、その内の一部は塵受け棚１３９上に自由落下する。そして、こうして塵が清掃体収容室１３１から供給される塵移送室１３６には、被掃除面以外の方向から空気導入口１３７を通して外気が吸込まれて高速で流動しているため、この高速の吸込み空気流にのせて塵受け棚１３９上に乗っている塵及び塵移送室１３６に浮遊している塵を、吸気用継手管１２５まで移送して、この管１２５に吸込ませることができる。
【０１１８】
このように掻き上げられた塵を塵移送室１３６を流れる高速の空気によって吸込み側に移送させるから、こうした塵の空気移送において２本の回転清掃体１２３、１２４が風路抵抗となることがない。そのため、空気移送される塵が両回転清掃体１２３、１２４と干渉して引っ掛かることが殆どなく、掻き上げられた塵を円滑かつ確実に継手管１２５に移送して吸込ませることができる。したがって、吸込み力が波及しづらい吸込み口体１１１の幅方向の端部において掻き上げられた塵であっても、これを以上のように空気移送して吸込ませることができるので、塵取り性能を向上できる。
【０１１９】
しかも、以上のように外気を吸込むに伴って、継手管１２５から絞りとなっている連通口１３５を介して連通されている下側の清掃体収容室１３１に作用するの吸込み力は大きく低下する。そのため、非空気循環式の掃除であるにも拘らず、被掃除面に臨んだ清掃体収容室１３１の塵取り開口１３１ａが被掃除面に強く吸付けられることも防止できる。よって、吸込み口体１１１を軽く被掃除面上で動かすことができ、操作性がよい。
【０１２０】
なお、この第４実施形態において、塵受け棚１３９の先端を、上向きに立ち上がらせて、この棚１３９の根元よりも高くすることができるとともに、掻き上げられた塵を塵移送室１３６において塵受け棚１３９側に導く斜状のガイドを、前側の仕切り壁１３２を斜めに形成すること等により設けることができる。又、塵受け棚１３９は省略してもよい。
【０１２２】
なお、本発明において、２本の回転清掃体を回転させる手段としては、前記各実施形態に例示したものの他、吸込み気流又は循環される気流の一部又は全部が吹き当てられることにより回転されるタービンを用いて、２本の回転清掃体を回転させることもでき、又、２本の回転清掃体の内の少なくとも一方に、吸込み気流又は循環される気流の一部又は全部を吹き当てることで、これら２本の回転清掃体を回転させることもできる。又、清掃体駆動装置を用いる場合に、その伝動機構には、歯車列、又はタイミングベルトを用いた巻掛け伝動部、或は、これらの組合わせによって形成される伝動機構等を用いることができる。
【０１２３】
【発明の効果】
本発明は、以上説明したような形態で実施され、以下に記載されるような効果を奏する。
【０１２４】
請求項１の発明によれば、吸込み口体主部の幅方向端部の空気導入口から導入される空気を、清掃体収容室の上側の塵移送室に流し、２本の回転清掃体が塵移送室に掻き上げた塵を、塵移送室内の気流により継手管に移送させて吸込ませるので、掻き上げられて移送される塵と回転清掃体との干渉が少ない。したがって、吸込み口体主部の幅方向の端部でも塵が取り易くなり、塵取り性能が向上された吸込み口体を提供できる。
【０１２５】
請求項２の発明によれば、２本の回転清掃体によって清掃体収容室の上側の塵移送室に掻き上げられた塵を、両室間の塵受け棚で受けながら、塵移送室を流動する空気によって継手管に移送させて吸込ませるので、掻き上げられて移送される塵と回転清掃体との干渉が少ない。したがって、吸込み口体主部の幅方向の端部でも塵が取り易くなり、塵取り性能が向上された吸込み口体を提供できる。
【０１２６】
請求項３の発明によれば、吸込み口体主部の幅方向端部の空気導入口から導入される空気を、清掃体収容室の上側の塵移送室に流すことによって、２本の回転清掃体によって清掃体収容室の上側の塵移送室に掻き上げられた塵を、両室間の塵受け棚で受けながら、塵移送室を流動する気流により継手管に移送させて吸込ませるので、掻き上げられて移送される塵と回転清掃体との干渉が少ない。したがって、吸込み口体主部の幅方向の端部でも塵が取り易くなり、塵取り性能が向上された吸込み口体を提供できる。
【０１２７】
請求項４の発明によれば、２本の回転清掃体により掻き上げられる塵を吸込み口体主部の略全幅にわたって設けた塵移送室を流れる気流に乗せて継手管に吸い込ませるから、吸込み口体の略全幅にわたり良好な塵取り性能を発揮できる吸込み口体を提供できる。
【０１２８】
請求項５の発明によれば、２本の回転清掃体が掻き上げた塵を、高速気流が流れている塵移送室に円滑かつ確実に供給しつつ塵取りを行える吸込み口体を提供できる。
【０１２９】
請求項６の発明によれば、空気循環式電気掃除機の電動送風機から排出されて循環される空気を塵移送室に流す気流として用いて、既述の塵取りを行うから、塵取り開口に波及する吸込み力が低いにも拘らず、塵取り性能がよい空気循環式電気掃除機用の吸込み口体を提供できる。
【０１３０】
請求項７の発明によれば、吸込み口体主部の幅方向両端部の夫々から導入される空気を塵移送室に流しながら塵取りができるので、吸込み口体主部の幅方向の両端部でも塵が取り易く、塵取り性能が向上された吸込み口体を提供できる。
【０１３１】
請求項８の発明によれば、２本の回転清掃体によって被掃除面から清掃体収容室の上側の塵移送室に掻き上げられた塵をガイド壁に沿わせて塵受け棚に導くことができるから、掻き上げられた塵を塵受け棚で確実に受けながら、塵取りを行える吸込み口体を提供できる。
【０１３２】
請求項９の発明によれば、塵受け棚上に一旦のせられた塵がこぼれ落ちることを、塵受け棚の先端縁により抑制できるから、塵受け棚上の塵を継手管に向けて確実に移送させて塵取りを行える吸込み口体を提供できる。
【０１３３】
請求項１０の発明によれば、塵受け棚上に一旦のせられた塵がこぼれ落ちることを、塵受け棚の上向き先端縁により抑制できることとあいまって、塵受け棚上を空気の通り道とできるから、塵受け棚上の塵を継手管に向けて確実に移送させて塵取りを行える吸込み口体を提供できる。
【０１３４】
請求項１１の発明によれば、２本の回転清掃体により被掃除面から掻き上げられて連通口を通り塵移送室に至った塵と回転清掃体との干渉が少なく、前記塵移送室内の塵を、この塵移送室を流れる気流によって円滑に継手管に移送でき、それにより、吸込み口体主部の幅方向の端部でも塵が取り易い吸込み口体を備えるから、塵取り性能が向上された非空気循環式の電気掃除機を提供できる。
【０１３５】
請求項１２の発明によれば、２本の回転清掃体により被掃除面から掻き上げられて連通口を通り塵移送室に至った塵と回転清掃体との干渉が少なく、前記塵移送室に掻き上げられた塵を、両室間に設けた塵受け棚で受けながら塵移送室を流れる気流によって円滑に継手管に移送でき、それにより、吸込み口体主部の幅方向の端部でも塵が取り易い吸込み口体を備えるから、塵取り性能が向上された空気循環式の電気掃除機を提供できる。
【図面の簡単な説明】
【図１】本発明の第１実施形態に係る空気循環式電気掃除機を示す斜視図。
【図２】図１の電気掃除機が備える吸込み口体を示す斜視図。
【図３】図２の吸込み口体を示す縦断側面図。
【図４】図２の吸込み口体の一部を示す縦断側面図。
【図５】図２の吸込み口体をその主部上カバーを取外した状態で示す概略平面図。
【図６】図２の吸込み口体をその主部上カバーと主部中カバーとを取外した状態で一部を断面して示す概略平面図。
【図７】図２の吸込み口体を示す下面図。
【図８】図２の吸込み口体が備える回転清掃体を示す平面図。
【図９】（Ａ）（Ｂ）は図２の吸込み口体の塵受け棚の夫々異なる構成例を示す断面図。
【図１０】（Ａ）は図２の吸込み口体が備える清掃体駆動装置を示す断面図。
（Ｂ）は図１０（Ａ）の清掃体駆動装置が備える歯車列の構成を図１０（Ａ）中矢印Ｙ方向から見て示す概略正面図。
（Ｃ）は図１０（Ａ）の清掃体駆動装置の軸受部分を通る断面図。
【図１１】本発明の第２実施形態に係る空気循環式電気掃除機の吸込み口体をその主部上カバーを取外した状態で示す概略平面図。
【図１２】図１１中Ｚ−Ｚ線に沿って示す吸込み口体の断面図。
【図１３】図１１の吸込み口体を反転させた状態でその一端部を示す斜視図。
【図１４】本発明の第３実施形態に係る空気循環式電気掃除機の吸込み口体をその主部上カバーを取外した状態で示す概略平面図。
【図１５】図１４の吸込み口体をその主部上カバーと主部中カバーとを取外した状態で一部を断面して示す概略平面図。
【図１６】図１４中Ｘ−Ｘ線に沿って示す吸込み口体の断面図。
【図１７】図１４の吸込み口体を反転させた状態でその一端部側を示す斜視図。
【図１８】本発明の第４実施形態に係る非空気循環式電気掃除機の吸込み口体を示す概略断面図。
【図１９】図１８の吸込み口体を示す平面図。
【図２０】図１８の吸込み口体をその主部上カバーを取外した状態で一部を切り欠いて示す概略平面図。
【符号の説明】
Ａ…空気循環式電気掃除機
１…掃除機本体
８…吸込み口体
９…集塵袋（フィルタ）
１１…電動送風機
２１…継手管
２２…吸込み口体主部
２３、２４…回転清掃体
２５…清掃体駆動装置
５１…主部上ケース
５２…主部下ケース
５３、９１…主部中ケース
５３ａ…主部中ケースのガイド壁
５７…清掃体収容室
５７ａ…塵取り開口
５８…塵移送室
６１…連通口
６２…塵受け棚
６２ａ…塵受け棚の先端縁
６５…風路
６６、６８…通気部（空気導入口）
８１…清掃体軸
８４…ブレード（清掃要素）
Ｅ…非空気循環式電気掃除機
１１１…吸込み口体
１１２…掃除機本体
１１４…集塵袋（フィルタ）
１１５…電動送風機
１２１…吸込み口体主部
１２３、１２４…回転清掃体
１２５…継手管
１２６…清掃体駆動装置
１３１…清掃体収容室
１３１ａ…塵取り開口
１３５…連通口
１３６…塵移送室
１３７…空気導入口
１３９…塵受け棚
【図１】
0003785045.tif 000002
【図２】
0003785045.tif 000003
【図３】
0003785045.tif 000004
【図４】
0003785045.tif 000005
【図５】
0003785045.tif 000006
【図６】
0003785045.tif 000007
【図７】
0003785045.tif 000008
【図８】
0003785045.tif 000009
【図９】
0003785045.tif 000010
【図１０】
0003785045.tif 000011
【図１１】
0003785045.tif 000012
【図１２】
0003785045.tif 000013
【図１３】
0003785045.tif 000014
【図１４】
0003785045.tif 000015
【図１５】
0003785045.tif 000016
【図１６】
0003785045.tif 000017
【図１７】
0003785045.tif 000018
【図１８】
0003785045.tif 000019
【図１９】
0003785045.tif 000020
【図２０】
0003785045.tif 000021